(57)【要約】【課題】同期信号が互いに同期していない映像信号を、時分割方式で２者に対し別々の映像を表示させる際に、より好適に２者に対し別々の映像を表示させる映像表示装置を提供することを目的とする。【解決手段】映像信号１および映像信号２を受信し、映像選択部はメイン映像信号とサブ映像信号のどちらが映像信号１でどちらが映像信号２かを決定しそれぞれメイン映像信号とサブ映像信号として出力し、メイン映像信号を倍速化し、サブ映像信号を倍速化し、かつ、メイン映像信号に同期化させ、倍速メイン映像信号と倍速サブ映像信号を適宜選択しパネル部に表示する。【選択図】図１
2012209832.tif 000002
【特許請求の範囲】
【請求項１】
同期信号の異なる複数の映像を入力する入力手段と、
前記入力した複数の映像を交互に表示する表示手段と、
前記入力した複数の映像のうち、いずれかの一つを第１の映像として選択する選択手段と、
前記表示手段は、前記選択手段により選択された第１の映像と、前記選択された映像でない方の第２の映像とを前記第１の映像に合わせて同期して表示することを特徴とした表示装置。
【請求項２】
さらに、前記映像のジャンル情報を取得する取得手段を備え、
前記選択手段は、前記入力した複数の映像のうち、取得した前記ジャンル情報の優先度が高い方の映像を第１の映像として選択することを特徴とする請求項１記載の表示装置。
【請求項３】
さらに、前記映像のフレーム周波数を判別する判別手段を備え、
前記選択手段は、前記入力した複数の映像のうち、判別した前記フレーム周波数が高い方の映像を第１の映像として選択することを特徴とする請求項１記載の表示装置。
【請求項４】
前記表示装置は、さらに、
当該表示装置からの信号に応じてシャッタの開閉を行うシャッタ付きメガネに対して、
前記第１の映像を表示している場合には第１の映像を表示している旨の信号を送信し、
前記第２の映像を表示している場合には第２の映像を表示している旨の信号を送信する送信手段を備えたことを特徴とする表示装置。
【発明の詳細な説明】
【技術分野】
【０００１】
本発明は、テレビジョン放送等を受信して得た映像を処理する映像表示装置に関し、さらに詳しくは、時分割方式の立体視システムの応用に係り、とりわけ２者に対し別々の映像を最適に表示させることが可能な映像表示装置に関する。
【背景技術】
【０００２】
近年、時分割に右眼映像と左眼映像を表示し、シャッタ付きメガネでそれぞれの映像を右眼または左眼に表示し立体視が可能な映像表示装置が多く市販されるようになってきている。
【０００３】
このような表示システムにおいて、視聴している２者に対し、それぞれ異なる映像を表示させる技術が特許文献１〜３などに開示されている。
【０００４】
以下に、このような従来の、視聴している２者に対し異なる映像を表示させる表示装置について説明する。
【０００５】
図４は、この従来の、時分割方式の立体視システムを応用し、視聴いている２者に対し異なる映像を表示し、視聴させる表示装置４００のブロック図である。
【０００６】
図４において、倍速化部４０３、４０４は映像信号１、２をそれぞれ倍速化する。切替部４０５は倍速化した映像信号１、２を時系列に交互に表示する。パネル部４０６は、切替部４０５によって、映像信号１または映像信号２のうち、適宜選択された映像信号を表示する。
【０００７】
シャッタ付きメガネ４０７、４０８は、映像を視聴するためのシャッタ付きのメガネであり、表示装置などから送信される開閉指示信号（図示しない）を受け取り、シャッタを適宜開閉する。
【０００８】
図５は、図４で示した表示装置の各信号のタイミングチャートである。
【０００９】
先ず、受信した映像信号１および映像信号２はそれぞれ、倍速化部４０３、４０４で倍速化処理され、倍速映像信号１、倍速映像信号２となる。これを図５に示すように適宜交互に選択し、パネル部４０６に表示している。
【００１０】
さらにシャッタ付きメガネ４０７は、表示装置から送信される開閉指示信号のタイミングに併せて、倍速映像信号１を表示している期間には両眼同時にシャッタを開放し、倍速映像信号１を表示していない期間には閉鎖するように制御されている。
【００１１】
同様に、シャッタ付きメガネ４０８は、表示装置から送信される開閉指示信号のタイミングに併せて、倍速映像信号２を表示している期間には両眼同時にシャッタを開放し、倍速映像信号２を表示していない期間には閉鎖するように制御されている。
【００１２】
なお、多くの表示デバイスは実際の表示にある程度の時間が必要なため、図５に示すようにシャッタの開放期間は、実際の各映像信号の表示期間よりもやや狭めている。
【００１３】
また、図６は図４で示した表示装置の各信号の別の形態のタイミングチャートである。
【００１４】
図６が図５と異なるのは、図５では倍速化した映像信号が２倍であったのに対し、図６では倍速化した映像信号が４倍となっている点である。
【００１５】
昨今、パネル部として液晶表示装置が多く用いられるようになってきているが、液晶表示装置の多くは線順次駆動であり、信号をパネルに書き込んでから実際の表示までに相当の応答時間がかかるものもあるため、このように２倍以上に倍速化して表示する方法を用いることがある。このような場合には、図６に示すように、パネル部には２倍以上に倍速化した映像信号を表示し、シャッタの開放期間は１度目の表示ではなく２度目の表示に併せて開放する。
【００１６】
このように、交互に表示された倍速映像信号の表示タイミングに併せて各シャッタ付きメガネのシャッタを両眼同時に開閉させることでシャッタ付きメガネ４０７を装備した者には結果として映像信号１のみ、シャッタ付きメガネ４０８を装備した者には結果として映像信号２のみが認知される。
【先行技術文献】
【特許文献】
【００１７】
【特許文献１】特開平６−２１７２１４号公報
【特許文献２】国際公開第２０１０／０５５９３６号
【特許文献３】特開２００５−２２７４２４号公報
【発明の概要】
【発明が解決しようとする課題】
【００１８】
しかしながら、上記従来の特許文献においては、映像信号１、２にそれぞれ含まれる、基準信号である同期信号が予め同期しているものとして示されている。映像信号１、２が全く異なる放送局から発信された放送を受信した映像のような場合、放送局相互間で予め同期していることは期待できず、映像信号１、映像信号２それぞれの同期信号が予め同期していないことがあり、このような場合に、どのように表示させるかについてはなんら概念が無く詳細な記載も無い。
【００１９】
このように同期信号が互いに同期していない映像信号を同時に表示する技術として、ピクチャー・イン・ピクチャ（子画面表示）などに用いられるフレームシンクロナイズが広く知られている。フレームシンクロナイズは互いに非同期な映像信号の一方を、他方の映像信号に同期させる技術で、フレームメモリに書き込んだ一方の映像信号を他方の同期信号に同期して読み出すことで同期させて表示するものである。
【００２０】
ただし、このようなフレームシンクロナイズにおいては、次の課題があることが知られている。
【００２１】
図７は、一般的なフレームシンクロナイズのタイミングチャートで、映像信号２を映像信号１に同期させる場合について説明している。映像信号２はフレームメモリへ映像信号２の同期タイミングで書き込み、映像信号１の同期信号に同期させて読み出している。このように制御することで映像信号２を映像信号１に同期させることが可能である。
【００２２】
ただし、図７（ａ）に示すように映像信号１の同期信号の方の周期が長い（フレーム周波数が遅い）場合、フレーム０（Ｆ０の開始）時点で同期をとっていても、１フレーム、２フレーム、３フレーム、・・・と表示していくにつれて、映像信号２の書き込みが進み、映像信号１のフレームの遅れが累積する。映像信号１のＸフレームの読み込み（ＦＸの開始）時点において、映像信号２では（Ｘ＋１）フレーム（ＦＸ＋１）が書き込まれており、映像信号２を読み込む時点において、この（Ｘ＋１）フレーム（ＦＸ＋１）が読み込まれる。このため、映像信号２のＸフレーム（ＦＸ）は表示されず、映像信号２のフレーム（Ｘ−１）の次はフレーム（Ｘ＋１）が表示されることとなる。
【００２３】
このように同期させる側のフレーム周波数が早い場合には、定期的に表示されないフレーム（フレームスキップ）が発生する。
【００２４】
一方、同期させる側のフレーム周波数が遅い場合には、映像信号２のフレームの書き込みが、読み込みよりも遅くなってしまうことから、書き込みが間に合わず、間に合わないフレームについては直前のフレームが用いられる。つまり、図７（ｂ）のＦＸで示すように、２度読み出されるため、２度表示されるフレーム（フレームリピート）が、定期的に発生する。
【００２５】
２つの映像信号１、映像信号２の同期信号のずれに応じて、このようなフレームスキップや、フレームリピートが数秒〜数分に１度程度の頻度で定期的に発生することになる。
【００２６】
しかしながら、親画面の同期信号に合わせて、子画面側の表示を同期させることにより、視聴者がフレームスキップや、フレームリピートを極力感知しにくくすることが可能である。なぜなら、子画面は表示サイズが小さい上に、その性格上視聴者が長時間注視し続けることは少ないからである。
【００２７】
本願においては表示する２種類の映像はどちらも画面全体となっており、かつ、どちらも視聴者が注視し続ける可能性がある映像であるため、このようなフレームスキップや、フレームリピートが発生すると、視聴者は感知しやすく、視聴者に相当の違和感を感じさせる可能性がある。
【００２８】
本発明は上記課題を考慮してなされたものであり、２者に対し異なる映像をより好適に表示させる映像表示装置を提供することを目的とする。
【課題を解決するための手段】
【００２９】
上記の目的を達成するため本発明第１の技術手段は、同期信号の異なる複数の映像を入力する入力手段と、前記映像のジャンル情報を取得する取得手段と、前記入力した複数の映像を交互に表示する表示手段と、前記ジャンル情報から優先度が高い映像を選択する選択手段と、前記表示手段は、前記選択手段により選択された第１の映像に合わせて同期し、前記選択された映像でない方の第２の映像は、前記第１の映像に同期して表示することを特徴とする。
【００３０】
このような構成により、互いに同期しない別々の映像信号をより好適に２者に対し別々の映像を表示させる映像表示装置を提供することができる。
【００３１】
本発明第２の技術手段はさらに、表示装置からの信号に応じてシャッタの開閉を行うシャッタ付きメガネを備え、前記シャッタ付きメガネに対して映像を選択的に表示させるために、前記シャッタ付きメガネに対して、前記第１の映像を表示している場合には第１の映像を表示している旨の信号を送信し、前記第２の映像を表示している場合には第２の映像を表示している旨の信号を送信する送信手段を備えたことを特徴とする。
【発明の効果】
【００３２】
以上説明したように、本発明によれば、簡略な構成で、フレームスキップ／リピートが検知されにくい、好適に２者に対し別々の映像を表示させる映像表示装置を提供することができる。
【図面の簡単な説明】
【００３３】
【図１】実施の形態１における表示装置の構成を示すブロック図
【図２】実施の形態１における表示装置の動作を示すタイミングチャート
【図３】実施の形態１における表示装置の別の形態の動作を示すタイミングチャート
【図４】従来の表示装置のブロック図
【図５】従来の表示装置の主要動作を示すタイミングチャート
【図６】従来の表示装置の別の形態の動作を示すタイミングチャート
【図７】フレームシンクロナイズにおけるフレームスキップ、フレームリピートの説明図
【図８】実施の形態２における表示装置の判別部のブロック図
【図９】実施の形態２における表示装置の判別部の重みテーブルを示す図
【発明を実施するための形態】
【００３４】
（実施の形態１）
以下、実施の形態１における映像表示装置について図面を参照しながら説明する。
【００３５】
図１は、実施の形態１における映像表示装置のブロック図である。
【００３６】
映像表示装置１００は、映像選択部１０１、判別部１０２、倍速化部１０３、倍速化・シンクロナイズ部１０４、切替信号発生部１０５、切替部１０６、パネル部１０７、シャッタ付きメガネ制御信号生成部１１０、１１１とから構成されている。さらに、シャッタ付きメガネ制御信号生成部１１０、１１１から送信されたシャッタの開閉指示信号に従って、シャッタ付きメガネ１０８、１０９のシャッタの開閉が行われている。
【００３７】
映像選択部１０１は、受信した映像信号１、または、映像信号２を排他的に選択し、一方をメイン映像信号とし、他方をサブ映像信号として出力する。
【００３８】
判別部１０２は、映像選択部１０１におけるメイン映像信号と、サブ映像信号のうち、いずれが映像信号１であり、いずれが映像信号２であるのかを決定する判定信号を出力する。
【００３９】
倍速化部１０３は、映像選択部１０１から出力したメイン映像信号を倍速化した映像信号である、倍速メイン映像信号を生成する。また、映像信号１に含まれる同期信号も倍速化した同期信号である、倍速同期信号を生成する。
【００４０】
倍速化・シンクロナイズ部１０４は、サブ映像信号を倍速化し、かつ、メイン映像信号に同期化させた映像信号である、倍速サブ映像信号を生成する。
【００４１】
切替信号発生部１０５は、倍速化部より倍速同期信号を受け取り、メイン映像とサブ映像を交互に切り替えるための切替信号を生成し、切替部１０６に出力する。
【００４２】
切替部１０６は、切替信号発生部１０５から出力された切替信号を受け取り、倍速同期信号に同期して、倍速メイン映像信号と、倍速サブ映像信号とを、交互に切り替える。
【００４３】
パネル部１０７は、切替部１０６から出力された映像信号を、ＬＣＤ表示装置などの表示画面に表示する。
【００４４】
図２は実施の形態１における映像表示装置の動作を示すタイミングチャートである。
【００４５】
今、仮に判別部１０２において、映像信号１がメイン映像信号となるよう判定し、判定信号「１」を出力するものとする。
【００４６】
映像選択部１０１は、判定信号「１」に基づき、映像信号１がメイン映像信号、映像信号２がサブ映像信号として選択出力される。
【００４７】
映像選択部１０１により選択された、メイン映像信号は倍速化部１０３において、映像信号を倍速化した倍速メイン映像信号と、同期信号を倍速化した倍速同期信号とが生成される。
【００４８】
倍速化部１０３は、図示しないフレームメモリに対してメイン映像信号をメイン映像信号の同期信号に従って書き込み、フレームメモリから読み出す際には書き込み速度の倍の速度で読み出し、出力する。このようにすることにより倍速メイン映像信号を生成する。
【００４９】
倍速化・シンクロナイズ部１０４は、サブ映像信号を倍速化し、さらに、メイン映像信号の倍速同期信号に同期して読み出した倍速サブ映像信号を生成する。倍速化・シンクロナイズ部１０４は、図示しないフレームメモリに対してサブ映像信号をサブ映像信号の同期信号に従って書き込み、メイン映像信号の倍速同期信号に同期して読み出す。この際に、メイン映像信号の倍速同期信号と、サブ映像信号のフレーム周波数の違いに応じて、倍速サブ映像信号には、フレームスキップ、または、フレームリピートが発生する。
【００５０】
切替信号発生部１０５は、倍速化部１０３より倍速同期信号を受け取り、倍速メイン映像と倍速サブ映像を交互に切り替えるための切替信号を生成し、切替部１０６に出力する。
【００５１】
切替部１０６は、切替信号発生部１０５から出力された切替信号を受け取り、倍速同期信号に同期して、倍速メイン映像信号と、倍速サブ映像信号とを、交互に切り替える。倍速メイン映像信号、倍速サブ映像信号は、倍速化同期信号に同期して切替部１０６に入力されるため、パネル部１０７に交互に出力するように、倍速メイン映像信号、倍速サブ映像信号と切り替える。
【００５２】
シャッタ付きメガネ制御信号生成部１１０、１１１は、それぞれが、切替信号発生部１０５からの切替信号と判別部１０２からの判定信号とを受け取り、シャッタ付きメガネ制御信号１、シャッタ付きメガネ制御信号２を生成する。
【００５３】
図２（Ａ）には上記の動作のタイミングチャートを示している。
【００５４】
ここで、判定信号を「１」としたため、メイン映像信号として映像信号１が選択され、シャッタ付きメガネ１０８にて映像信号１を視聴するため、シャッタ付きメガネ制御信号１は切替信号と同相となる。また、シャッタ付きメガネ１０９にて映像信号２を視聴するため、シャッタ付きメガネ制御信号２は切替信号とは逆相となっている。
【００５５】
このように生成されたシャッタ付きメガネ制御信号１によって制御されるシャッタ付きメガネ１０８は、メイン映像信号として選択した映像信号１の倍速メイン映像信号の表示に併せて開放し、逆に倍速メイン映像信号の非表示に併せて閉鎖する。
【００５６】
一方、シャッタ付きメガネ制御信号２によって制御されるシャッタ付きメガネ１０９は、サブ映像信号として選択した映像信号２の倍速サブ映像信号の表示に併せて開放し、逆に倍速サブ映像信号の非表示に併せて閉鎖する。
【００５７】
その結果シャッタ付きメガネ１０８を使用した視聴者には映像信号１の映像のみが表示され、シャッタ付きメガネ１０９を使用した視聴者には映像信号２の映像のみが表示される。
【００５８】
ここで、判別部１０２で映像信号１がサブ映像信号となるよう判定し、判定信号「０」を出力した場合には、動作タイミングは図２（Ｂ）のようになる。この場合は、シャッタ付きメガネ制御信号１は切替信号と逆相になり、シャッタ付きメガネ制御信号２は切替信号と同相になる。
【００５９】
そして、シャッタ付きメガネ１０８は、サブ映像信号として選択した映像信号１の倍速サブ映像信号の表示に併せて開放し、逆に倍速サブ映像信号の非表示に併せて閉鎖する。
【００６０】
一方、シャッタ付きメガネ１０９は、メイン映像信号として選択した映像信号２の倍速メイン映像信号の表示に併せて開放し、逆に倍速メイン映像信号の非表示に併せて閉鎖する。
【００６１】
このように、映像信号１がメイン映像信号となるように判定した場合と同様に、シャッタ付きメガネ１０８を使用した視聴者には映像信号１の映像のみが表示され、シャッタ付きメガネ１０９を使用した視聴者には映像信号２の映像のみが表示される。
【００６２】
図３は、実施の形態１における映像表示装置の別の形態のタイミングチャートである。
【００６３】
図３が図２と異なるのは、図２では映像信号の倍速化は２倍であったのに対して、図３では映像信号の倍速化が４倍となっている点である。
【００６４】
昨今、液晶表示装置が多く用いられるようになってきているが、液晶表示装置の多くは線順次駆動であり、かつ、映像信号をパネルに書き込んでから実際の表示までに相当の応答時間がかかる場合もあるため、このように２倍以上に倍速化し表示する方が望ましい場合もある。
【００６５】
このような観点から、図３に示すように、パネルには２倍以上に倍速化した映像信号を表示し、シャッタの開放期間は１度目の表示ではなく２度目の表示に併せて開放するように制御することもできる。
【００６６】
このように、交互に表示された倍速映像信号の表示タイミングに併せて各シャッタ付きメガネのシャッタを両眼同時に開閉させることでシャッタ付きメガネ１０８を装備した者には、結果として映像信号１のみ、シャッタ付きメガネ１０９を装備した者には、結果として映像信号２のみを視聴することができる。
【００６７】
上記の動作において、個々のシャッタ付きメガネが、それぞれ映像信号１の映像を表示するのか、映像信号２の映像を表示するのかを選択できるようスイッチなどの選択手段により、判別部１０２を構成しても構わない。
【００６８】
メイン映像信号と、サブ映像信号との同期信号に差がある場合には、以上の構成では、倍速サブ映像信号側が、必ずフレームスキップ、またはフレームリピートされることとなる。
【００６９】
表示される映像には様々な種類が存在し、中にはフレームスキップや、フレームリピートが発生しても、感知されにくいものも存在する。
【００７０】
例えば、静止画であれば、フレームスキップや、フレームリピートが発生しても、全く感知されることはない。
【００７１】
よって、フレームスキップや、フレームリピートが感知されにくい側をサブ映像信号として選択するように判別部１０２が判定するように構成しても構わない。そこで、判別部１０２では、映像信号１の映像と、映像信号２の映像のうち、より動きの少ない側をサブ映像信号として選択するようにする。また、１秒間のフレーム数が少ない側をサブ映像信号として選択するようにしても構わない。
【００７２】
ここで述べる「１秒間のフレーム数」とはコンテンツの本来のフレーム周波数を指し、例えば、一般的に映画などの毎秒２４フレームの映像が２３プルダウンされた後に、毎秒６０フレームで送信されてきた場合でも、本来のコンテンツのフレームレートである２４フレームを指すものとする。
【００７３】
このような検出は、映像信号１および映像信号２の各々の映像について、映像信号のフレーム間の差分を検知することで、動きの変化の有無を検出することができる。また動き量としても検出することができる。動きの変化や、動き量の大きさなどを検知して、映像としてフレーム数を検出することができる。
【００７４】
映画やアニメーションは毎秒８フレーム〜２４フレームであり、通常の映像が毎秒６０フレームであるのと比べてフレーム数が少なく、サブ映像信号としては映画やアニメーションを選択することができる。このように、より動きの少ない側をサブ映像信号として選択する。または、１秒間のフレーム数が少ない側をサブ映像信号として選択すれば、フレームスキップや、フレームリピートの影響が極めて小さくなり、視聴者が感知しにくい。
【００７５】
なお、判別部１０２でメイン映像信号として映像信号１を選択していた状態から、映像信号２を選択した状態に変更した場合に、シャッタ付きメガネ制御信号生成部１１０、１１１の制御信号を変更するように実施の形態１では説明したが、シャッタ付きメガネ制御信号の順序は維持したままで構成しても構わない。つまり、メイン映像信号として映像信号１を選択しており、シャッタ付きメガネ１０８で映像信号１を視聴し、シャッタ付きメガネ１０９で映像信号２を視聴するように設定されており、同時刻のフレームでは倍速メイン映像信号、倍速サブ映像信号の順に出力されていたものとする。判別部１０２でメイン映像信号として映像信号１を選択していた状態から、映像信号２を選択した状態に変更したものとする。このときメイン映像信号が映像信号２に変化するため、シャッタ付きメガネ１０８、シャッタ付きメガネ１０９の開閉タイミングを維持しているのであれば、引き続きそれぞれ映像信号１、映像信号２を視聴するようにさせるため、切替部で出力する映像信号は、同時刻のフレームでは倍速サブ映像信号、倍速メイン映像信号の順と順番を逆にしても構わない。
【００７６】
（実施の形態２）
以下、実施の形態２における映像表示装置について図面を参照しながら説明する。
【００７７】
実施の形態２における映像表示装置と、実施の形態１における映像表示装置との差異は、判別部２０２の構成が判別部１０２と異なる点である。判別部２０２は、図８に示す構成である。その他については、実施の形態２と実施の形態１とでは同じであるため、説明を省略する。
【００７８】
図８において判別部２０２は、電子番組情報を受信し、映像信号１、映像信号２のそれぞれの番組種別（ジャンル）を取得する。そして、番組種別に応じて、映像信号１と映像信号２との間で、優先度を判定する。優先度が高い方をメイン映像信号として判定して、他方をサブ映像信号として判断する。
【００７９】
図９は、番組種別とそれに応じた優先度を示す例である。このような重みテーブルを予め用意しておくことで、映像信号１、映像信号２のそれぞれの番組種別（ジャンル）情報から、それぞれの重みを取得し、比較し、重みが小さい方をサブ映像信号となるよう判定信号を出力する。
【００８０】
上記重みテーブルは、動きが大きいものほど大きく、１秒間のフレーム数が多いほど大きくなるものを定めるようにしておけばよい。
【００８１】
実際に、映画やアニメーションは１秒間に８フレーム〜２４フレームと、通常映像が１秒間に６０フレームであるのと比べてフレーム数が少ないし、また、スポーツやドラマは動きが大きく、逆にニュースなどは動きが小さいため、優先度を設定することができる。番組種別（ジャンル）情報を用いることで、精度良く判定が可能である。
【００８２】
なお、図９に示した重みテーブルに用いたジャンル、および各重み値は、一例であり、必ずしもこのような値である必要はない。
【産業上の利用可能性】
【００８３】
本発明の映像表示装置は、簡略な構成で、フレームスキップや、フレームリピートが感知されにくくすることが可能なので、２者に対し異なる映像を表示させる映像表示装置として有用である。
【符号の説明】
【００８４】
１０１  映像選択部
１０２  判別部
１０３  倍速化部
１０４  倍速化・シンクロナイズ部
１０５  切替信号発生部
１０６  切替部
１０７  パネル部
１０８、１０９  シャッタ付きメガネ
１１０、１１１  シャッタ付きメガネ制御信号生成部
２０２  判別部
【図１】
2012209832.tif 000003
【図２】
2012209832.tif 000004
【図３】
2012209832.tif 000005
【図４】
2012209832.tif 000006
【図５】
2012209832.tif 000007
【図６】
2012209832.tif 000008
【図７】
2012209832.tif 000009
【図８】
2012209832.tif 000010
【図９】
2012209832.tif 000011